(57)【要約】【課題】定着ヒータの高温異常を防止し、かつサービスによる修理までの間も画像形成装置の使用を可能とする。【解決手段】電源ＯＮ時及びスリープモードから復帰すると（Ｓ１０１）、定着ヒータの温度を検出し（Ｓ１０２）、ＡＣ電圧検知回路によってＡＣ入力電圧を検出する（Ｓ１０３）。その検出値に対応した定着ヒータへの電力Ｄｕｔｙを決定して定着ヒータをＯＮし（Ｓ１０４）、電源ＯＮ時及びスリープモード復帰時からＮ秒後の定着ヒータの温度を検出し（Ｓ１０５）、Ｎ秒後の定着ヒータの温度が温度予測テーブルの値の範囲に入っているかどうかを判定する（Ｓ１０６）。入っている場合には、現状の定着制御を変更することなくこのルーチンから抜け、予測温度値の範囲外の場合は、ＡＣ入力電圧誤検出と判断し、定着ヒータへの電力Ｄｕｔｙを大きく下げる制御に変更する（Ｓ１０７）。【選択図】図４
2012185367.tif 000002
【特許請求の範囲】
【請求項１】
ＡＣ入力電圧を検知する電圧検知手段と、
定着ヒータの温度を検知する温度検知手段と、
を備えた画像形成装置であって、
ＡＣ入力電圧値ごとに電源ＯＮ時及びスリープモード復帰時から一定時間後の温度予測値を記憶した温度予測テーブルと、
前記温度検知手段により検知された前記電源ＯＮ時及びスリープモード復帰時から一定時間後の前記定着ヒータの温度が前記温度予測テーブルに設定されている温度範囲内にあるときは、前記温度検知手段により検知した前記定着ヒータの温度、前記電圧検知手段により検知したＡＣ入力電圧値及び温度予測テーブルに設定されている温度予測値に基づいて現在実行中の電力Ｄｕｔｙで前記定着ヒータを加熱する第１の制御と、前記温度範囲から外れたときは、前記電力Ｄｕｔｙを大きく外れたＤｕｔｙに変更して前記定着ヒータを加熱する第２の制御とを実行する制御手段と、
を備えていることを特徴とする画像形成装置。
【請求項２】
請求項１に記載の画像形成装置であって、
前記温度範囲から外れた場合であって、電源ＯＮ時やスリープモード復帰時から一定時間後の温度が温度予測テーブルにおける温度予測値を下回った場合は前記第２の制御に代えて前記第１の制御を実行すること
を特徴とする画像形成装置。
【請求項３】
請求項１または２に記載の画像形成装置であって、
前記大きく外れたＤｕｔｙが０％であること
を特徴とする画像形成装置。
【請求項４】
請求項１に記載の画像形成装置であって、
前記温度検知手段により検知された前記電源ＯＮ時及びスリープモード復帰時から一定時間後の前記定着ヒータの温度が前記温度予測テーブルに設定されている温度範囲内にあるときは、更に、所定時間後の前記定着ヒータの温度が前記温度予測テーブルに設定されている温度範囲内にあるかどうかを判定し、温度範囲内にあるときは、前記第１の制御を実行し、温度範囲から外れたときは前記第２の制御を実行すること
を特徴とする画像形成装置。
【請求項５】
請求項１に記載の画像形成装置であって、
前記第２の制御を実行する際、一定時間定着ヒータの温度を検知し、異常発生の蓋然性が高い予め設定された高温異常スレッシュ温度に達したかどうかを判定し、達していなければ前記第２の制御を実行し、達した場合にはＤｕｔｙを０％として装置を停止させること
を特徴とする画像形成装置。
【請求項６】
ＡＣ入力電圧を検知する電圧検知手段と、
定着ヒータの温度を検知する温度検知手段と、
を備えた画像形成装置における定着ヒータの加熱制御方法であって、
ＡＣ入力電圧値ごとに電源ＯＮ時及びスリープモード復帰時から一定時間後の温度予測値を記憶した温度予測テーブルを参照する工程と、
前記温度検知手段により検知された前記電源ＯＮ時及びスリープモード復帰時から一定時間後の前記定着ヒータの温度が前記温度予測テーブルに設定されている温度範囲内にあるときは前記温度検知手段により検知した前記定着ヒータの温度、前記電圧検知手段により検知したＡＣ入力電圧値及び温度予測テーブルに設定されている温度予測値に基づいて現在実行中の電力Ｄｕｔｙで前記定着ヒータを加熱する工程と、
前記温度範囲から外れたときは、前記電力Ｄｕｔｙを大きく外れたＤｕｔｙに変更して前記定着ヒータを加熱する工程と、
を備えていることを特徴とする定着ヒータの加熱制御方法。
【請求項７】
ＡＣ入力電圧を検知する電圧検知手段と、
定着ヒータの温度を検知する温度検知手段と、
を備えた画像形成装置における定着ヒータの加熱制御をコンピュータによって実行するための加熱制御プログラムであって、
ＡＣ入力電圧値ごとに電源ＯＮ時及びスリープモード復帰時から一定時間後の温度予測値を記憶した温度予測テーブルを参照する手順と、
前記温度検知手段により検知された前記電源ＯＮ時及びスリープモード復帰時から一定時間後の前記定着ヒータの温度が前記温度予測テーブルに設定されている温度範囲内にあるときは前記温度検知手段により検知した前記定着ヒータの温度、前記電圧検知手段により検知したＡＣ入力電圧値及び温度予測テーブルに設定されている温度予測値に基づいて現在実行中の電力Ｄｕｔｙで前記定着ヒータを加熱する手順と、
前記温度範囲から外れたときは、前記電力Ｄｕｔｙを大きく外れたＤｕｔｙに変更して前記定着ヒータを加熱する手順と、
を備えていることを特徴とする定着ヒータの加熱制御プログラム。
【発明の詳細な説明】
【技術分野】
【０００１】
本発明は、画像形成装置、この画像形成装置の定着装置の加熱制御方法及び前記加熱制御方法をコンピュータによって実行するための加熱制御プログラムに係り、特に複写機、プリンタ、ファクシミリ、デジタル複合機などの画像形成装置の定着装置に印加される入力電源電圧の誤検知に対処する技術に関する。
【背景技術】
【０００２】
電子写真方式の画像形成装置では、ＡＣ入力電源電圧を検出し、トナーを定着させるためのヒータ（熱源）点灯時に投入する電力を、検知した入力電圧値とトナーを定着させるための目標温度に応じて、予め設定したＤｕｔｙを選択することで電力制限し、オーバーシュートや電力不足のない制御が実行されている。図１（ａ）は従来の定着電力制御における「時間−温度」特性を示す特性図である。従来技術の場合、特に電源ＯＮ時やスリープモードからの復帰時のように定着ヒータが冷えた状態において、ＡＣ入力電圧検知においてＡＣ１００Ｖと検知した場合、Ｄｕｔｙ１００％で定着ヒータの点灯を行う（Ａの特性）が、ＡＣ入力電圧検知回路の故障等で実際はＡＣ１２０Ｖが入力されているとそのままＤｕｔｙ１００％で定着ヒータの点灯を行うので、ヒータ停止温度Ｔspで定着ヒータへの通電を停止下としても、定着ヒータ温度は温度高温異常スレッシュ温度Ｔthを越えてしまう（Ｂの特性）。なお、符号Ｂは測定した温度を示す。
【０００３】
高温異常Ｔovは画像形成装置の安全性に関わる問題であり、ＡＣ入力電圧誤検出時においても高温異常にならない設計が必要である。また画像形成装置で高温異常を検知した場合、その後、ユーザが画像形成装置の電源をＯＦＦ／ＯＮしても安全性の観点から、通常、サービスにおける修理完了まで画像形成装置を動作させることができない。そのため、高温異常が発生すると、画像形成装置を使用する必要があったとしても使用することができず、ユーザに負担が掛かってしまう。
【０００４】
そこで、例えば特許文献１（特開２００６−０３９０２７号公報）には、ＡＣ入力電源電圧の検知手段をヒータ制御回路の手前に設け、オーバーシュートあるいは電力不足のない制御を行うようにした発明が提案されている。
【発明の概要】
【発明が解決しようとする課題】
【０００５】
しかし、特許文献１記載の発明では、主に電力不足を補うために電力アップさせることに重きを置いているため、特に電源ＯＮ時やスリープモード復帰時のように定着ヒータが冷えた状態において定着ヒータを点灯したとき、突入電流が増大する。その結果、定着の温度特性が急峻になり、その状態において検知したＡＣ入力電圧自体が実電圧より低く誤検知された場合、ＡＣ入力電圧が実際は上がるので、定着ヒータの消費電力が上昇し、高温異常になることがあった。
【０００６】
そこで、本発明が解決しようとする課題は、特に電源ＯＮ時やスリープモード復帰時のように定着ヒータが冷えた状態におけるＡＣ入力電圧誤検出時においても定着ヒータの高温異常を防止し、かつサービスによる修理までの間も画像形成装置の使用を可能とすることにある。
【課題を解決するための手段】
【０００７】
前記課題を解決するため、第１の手段は、ＡＣ入力電圧を検知する電圧検知手段と、定着ヒータの温度を検知する温度検知手段と、を備えた画像形成装置であって、ＡＣ入力電圧値ごとに電源ＯＮ時及びスリープモード復帰時から一定時間後の温度予測値を記憶した温度予測テーブルと、前記温度検知手段により検知された前記電源ＯＮ時及びスリープモード復帰時から一定時間後の前記定着ヒータの温度が前記温度予測テーブルに設定されている温度範囲内にあるときは、前記温度検知手段により検知した前記定着ヒータの温度、前記電圧検知手段により検知したＡＣ入力電圧値及び温度予測テーブルに設定されている温度予測値に基づいて現在実行中の電力Ｄｕｔｙで前記定着ヒータを加熱する第１の制御と、前記温度範囲から外れたときは、前記電力Ｄｕｔｙを大きく外れたＤｕｔｙに変更して前記定着ヒータを加熱する第２の制御とを実行する制御手段と、を備えていることを特徴とする。
【０００８】
この場合、前記温度範囲から外れた場合であって、電源ＯＮ時やスリープモード復帰時から一定時間後の温度が温度予測テーブルにおける温度予測値を下回った場合は前記第２の制御に代えて前記第１の制御を実行する。その際、前記大きく外れたＤｕｔｙを０％として、装置が停止するように構成することもできる。
【０００９】
また、前記温度検知手段により検知された前記電源ＯＮ時及びスリープモード復帰時から一定時間後の前記定着ヒータの温度が前記温度予測テーブルに設定されている温度範囲内にあるときは、更に、所定時間後の前記定着ヒータの温度が前記温度予測テーブルに設定されている温度範囲内にあるかどうかを判定し、温度範囲内にあるときは、前記第１の制御を実行し、温度範囲から外れたときは前記第２の制御を実行するように構成することもできる。更に、前記第２の制御を実行する際、一定時間定着ヒータの温度を検知し、異常発生の蓋然性が高い予め設定された高温異常スレッシュ温度に達したかどうかを判定し、達していなければ前記第２の制御を実行し、達した場合にはＤｕｔｙを０％として装置を停止させることも可能である。
【００１０】
第２の手段は、ＡＣ入力電圧を検知する電圧検知手段と、定着ヒータの温度を検知する温度検知手段と、を備えた画像形成装置における定着ヒータの加熱制御方法であって、ＡＣ入力電圧値ごとに電源ＯＮ時及びスリープモード復帰時から一定時間後の温度予測値を記憶した温度予測テーブルを参照する工程と、前記温度検知手段により検知された前記電源ＯＮ時及びスリープモード復帰時から一定時間後の前記定着ヒータの温度が前記温度予測テーブルに設定されている温度範囲内にあるときは前記温度検知手段により検知した前記定着ヒータの温度、前記電圧検知手段により検知したＡＣ入力電圧値及び温度予測テーブルに設定されている温度予測値に基づいて現在実行中の電力Ｄｕｔｙで前記定着ヒータを加熱する工程と、前記温度範囲から外れたときは、前記電力Ｄｕｔｙを大きく外れたＤｕｔｙに変更して前記定着ヒータを加熱する工程と、を備えていることを特徴とする。
【００１１】
第３の手段は、ＡＣ入力電圧を検知する電圧検知手段と、定着ヒータの温度を検知する温度検知手段と、を備えた画像形成装置における定着ヒータの加熱制御をコンピュータによって実行するための加熱制御プログラムであって、ＡＣ入力電圧値ごとに電源ＯＮ時及びスリープモード復帰時から一定時間後の温度予測値を記憶した温度予測テーブルを参照する手順と、前記温度検知手段により検知された前記電源ＯＮ時及びスリープモード復帰時から一定時間後の前記定着ヒータの温度が前記温度予測テーブルに設定されている温度範囲内にあるときは前記温度検知手段により検知した前記定着ヒータの温度、前記電圧検知手段により検知したＡＣ入力電圧値及び温度予測テーブルに設定されている温度予測値に基づいて現在実行中の電力Ｄｕｔｙで前記定着ヒータを加熱する手順と、前記温度範囲から外れたときは、前記電力Ｄｕｔｙを大きく外れたＤｕｔｙに変更して前記定着ヒータを加熱する手順と、を備えていることを特徴とする。
【００１２】
なお、後述の実施形態では、電圧検知手段はＡＣ電圧検知回路２６に、定着ヒータは符号２７に、温度検知手段はサーミスタ１５に、温度予測テーブルは符号８ａに、制御手段はＣＰＵ２に、画像形成装置が符号１に、それぞれ対応する。
【発明の効果】
【００１３】
本発明によれば、定着ヒータの高温異常を防止し、かつサービスによる修理までの間も画像形成装置の使用を可能とすることができる。
【図面の簡単な説明】
【００１４】
【図１】従来例及び本発明の実施形態における電力制御を行ったときの時間と温度との関係を示す特性図である。
【図２】本発明の実施形態に係る画像形成装置の構成を示す機能ブロック図である。
【図３】ＡＣ（一次側）回路及びその制御回路を含む制御構成を示すブロック図である。
【図４】実施例１の加熱制御手順を示すフローチャートである。
【図５】温度予測テーブルの一例を示す図である。
【図６】実施例２における加熱制御手順を示すフローチャートである。
【図７】実施例３における加熱制御手順を示すフローチャートである。
【図８】実施例４における加熱制御手順を示すフローチャートである。
【図９】実施例５における加熱制御手順を示すフローチャートである。
【発明を実施するための形態】
【００１５】
本発明は、ＡＣ（交流）入力電圧に対する時間推移での温度予測テーブルを用意しておき、検知したＡＣ入力電圧における定着ヒータの温度が、時間推移での温度予測テーブルから予測させる温度を超える場合はＡＣ入力電圧誤検出と判断し、定着ヒータへの電力Ｄｕｔｙを下げ、異常高温が発生しないようにしたことを特徴とする。
【００１６】
以下、本発明の実施形態について、図面を参照しながら説明する。
【００１７】
図２は、本発明の実施形態に係る画像形成装置の構成を示す機能ブロック図である。同図において、画像形成装置１は、ＣＰＵ２を中心に構成され、ＣＰＵ２の制御下でバス２１を介して、（用紙）搬送部３、排紙部４、給紙部５、画像読取部６、画像処理部７、メモリ部８、定着部１１、インターフェース１８、Ａ／Ｄ変換部１６、作像部２２など接続され、相互に信号の授受が可能となっている。
【００１８】
給紙部５は用紙などの記録媒体を給紙段から給紙し、搬送部４によって用紙に可視画像を形成する作像部２２に搬送し、画像形成済みの用紙を定着部１１へと搬送し、排紙部４から排紙トレイなどに排紙する。画像読取部６は原稿などを光学的に読み取り、読み取った光学データを電子的な画像データに変換して画像処理部７に送る。画像処理部７では、読み取った画像データの画像領域及び画像情報を処理し、作像部２２で作像可能な画像情報に変換し、その画像情報を作像部２２に送る。作像部２２では、受け取った画像情報に基づいて用紙上に可視画像を形成する。作像部２２は本実施形態では、電子写真方式の作像エンジンを想定している。
【００１９】
定着部１１は、画像情報を紙などの提示媒体に記録するために熱溶着する粉末（例えば、トナー）を溶かすための熱源１３、熱源を制御する熱源制御回路部１２とを備えるとともに、定着部１２の温度検出を行うサーミスタ１５、サーミスタ１５の検出出力をＡ／Ｄ変換し、ＣＰＵ２で処理するためのデジタル信号に変換するＡ／Ｄ変換器１４を備えている。
【００２０】
メモリ部８は、検出電圧を一次的に格納するＲＡＭ１０と、定着制御パターンなどを恒久的に格納するＲＯＭ９とを備え、インターフェース１８は、パソコンなどの外部通信機器２０や外部記憶素子１９から、画像データを取り込む。また、オーバーシュート及び電力不足のない制御を行うために電圧検出を行う電圧検出部１７、検出したアナログ電圧をＣＰＵで処理するためのデジタル信号に変換するＡ／Ｄ変換部１６を備えている。
【００２１】
図３はＡＣ（一次側）回路及びその制御回路を含む制御構成を示すブロック図である。この制御構成では、ＣＰＵ２及びメモリ８は制御基板３０上に搭載され、ＣＰＵ２には、商用ＡＣ電源２５に接続されたリレー２３の後段に接続されたＡＣ電圧検知回路２６の検知電圧が入力され、定着ヒータ２７の温度を検知するサーミスタ１５の検知出力が入力され、リレー２３及び定着回路２４を制御する。
【００２２】
詳細には、電源ＯＮ時及びスリープモード復帰時において、外部の商用ＡＣ電源２５からのＡＣ入力を遮断しているリレーがＯＮされるため、リレー２３の後段の回路にＡＣ電力が供給される。ＡＣ電圧検知回路２６はＡＣ入力電圧の検知を行い、その結果を制御基板３０のＣＰＵ２に伝える。定着制御回路２４は制御基板３０のＣＰＵ２からの定着制御（定着ヒータへの電力Ｄｕｔｙ制御）信号に基づいて定着ヒータ２７のＯＮ、ＯＦＦを制御する。サーミスタ１５は定着ヒータ２７の温度を検出し、検出した定着ヒータ２７の温度を制御基板３０のＣＰＵ２に伝える。
【００２３】
メモリ８内にはＡＣ入力電圧に対する時間推移での温度予測テーブル８ａが格納されていて、ＣＰＵ２によって電源ＯＮ時及びスリープモード復帰時からＮ（Ｎ＜０）秒後の定着ヒータ２７の温度が温度予測テーブル８ａにおける予測温度と一致しているか判断し、その結果に応じて定着制御を変更する。なお、ＡＣ電圧検知回路２６は図２における電圧検出部１７に含まれ、Ａ／Ｄ変換器１６からのデジタル信号がＣＰＵ２に入力される。定着ヒータ２７は図２における熱源１３に相当し、定着制御回路２４は熱源制御回路部１２に相当する。
【実施例１】
【００２４】
図４は図３に示した制御構成において、ＣＰＵ２が実行する実施例１の加熱制御手順を示すフローチャートである。  
同図において、電源ＯＮ時及びスリープモードから復帰すると（ステップＳ１０１：Ｙｅｓ）、サーミスタ１５によって定着ヒータ２７の温度を検出し（ステップＳ１０２）、ＡＣ電圧検知回路２６によってＡＣ入力電圧を検出する（ステップＳ１０３）。次いで、その検出値に対応した定着ヒータへの電力Ｄｕｔｙを決定し、定着ヒータ２７をＯＮする（ステップＳ１０４）。
【００２５】
定着ヒータ２７がＯＮした後、電源ＯＮ時及びスリープモード復帰時からＮ秒後の定着ヒータ２７の温度をサーミスタ１５によって検出する（ステップＳ１０５）。そして、Ｎ秒後の定着ヒータ２７の温度が温度予測テーブル８ａの値の範囲に入っているかどうかを判定し（ステップＳ１０６）、入っている場合には、現状の定着制御を変更することなくこのルーチンから抜け、予測温度値の範囲外の場合は、ＡＣ入力電圧誤検出と判断し、定着ヒータ２７への電力Ｄｕｔｙを大きく下げる制御に変更する（ステップＳ１０７）。
【００２６】
図５はステップＳ１０６で参照する温度予測テーブル８ａの一例を示す図である。このテーブルには、ＡＣ入力電圧と、電源ＯＮ時及びスリープモード復帰時における定着ヒータへの電力Ｄｕｔｙと、電源ＯＮ時及びスリープモード復帰時から５秒後の定着ヒータの温度予測値と表として設定されている。図５は電源ＯＮ時及びスリープモード復帰時における定着ヒータの温度が常温時（２５℃）における温度予測テーブルの一例である。なお実際には図５では省略している例えばＡＣ８０ＶからＡＣ９０Ｖの間のＡＣ入力電圧においても１Ｖごとに定着ヒータへの電力Ｄｕｔｙ及び５秒後の定着ヒータの温度予測値が設定されている。
【００２７】
例えばＡＣ電圧検知回路２６がＡＣ１００Ｖを越えたＡＣ１２０Ｖを検知した場合には、ステップＳ１０４で電源ＯＮ時及びスリープモード復帰時における定着ヒータへの電力Ｄｕｔｙを８０％に設定し、ステップＳ１０５で検出した温度が、ステップＳ１０６の判定で、１０５〜１１５℃の範囲に入っていれはそのままの制御を続行し、入っていなければステップＳ１０７の制御を実行する。
【００２８】
本実施例では、定着の立ち上げ時間は遅れるが、高温異常の発生を防止しつつ、サービスによる修理まで画像形成装置の使用が可能となる。
【実施例２】
【００２９】
図６は実施例２における加熱制御手順を示すフローチャートである。  
実施例２は実施例１のステップＳ１０６で、Ｎ秒後の定着ヒータ２７の温度が温度予測テーブル８ａの値の範囲に入っているかどうかを判定するのに対し、Ｎ秒後の定着ヒータ２７の温度が温度予測テーブル８ａの値の範囲に入っているかどうかに加えて、入っていない場合に、定着ヒータ２７の温度が温度予測テーブル８ａの値の下限を下回っているかどうかを判定する（ステップＳ１０６ａ）ものである。そして、Ｎ秒後の定着ヒータ２７の温度が温度予測テーブル８ａの値の範囲に入っている場合、及び定着ヒータ２７の温度が温度予測テーブル８ａの値の下限を下回っている場合には、高温異常のスレッシュ温度に達しないと判断し、現状の制御を実行し、定着ヒータ２７の温度が温度予測テーブル８ａの値の上限よりも高い場合に、ステップＳ１０７でＡＣ入力電圧誤検出と判断し、定着ヒータへの電力Ｄｕｔｙを大きく下げる制御に変更するものである。その他の処理は実施例１と同一である。
【００３０】
本実施例では、実施例１に対して温度上昇時のみ電力Ｄｕｔｙ低減制御を実行するので、必要以上に定着の立ち上げ時間が遅れることはない。
【実施例３】
【００３１】
図７は実施例３における加熱制御手順を示すフローチャートである。  
実施例３は実施例１のステップＳ１０７でＡＣ入力電圧誤検出と判断し、定着ヒータへの電力Ｄｕｔｙを大きく下げる制御に変更するのに対して、定着ヒータへの電力Ｄｕｔｙを０％として機械を停止させる（ステップＳ１０７ａ）ものである。その他の処理は実施例１と同一である。
【００３２】
本実施例では、異常と判断したとき、定着ヒータの電力Ｄｕｔｙ０％に変更して定着及び画像形成装置を停止するので、高温異常が絶対に発生することはない。
【実施例４】
【００３３】
図８は実施例４における加熱制御手順を示すフローチャートである。  
実施例４は実施例１のステップＳ１０６でＮ秒後の定着ヒータ２７の温度が温度予測テーブル８ａの値の範囲に入っているかどうかを判定し、範囲内に入っていた場合に（ステップＳ１０６：Ｙｅｓ）、更に、ステップＳ１０６ｂで、Ｎ＋１秒後の定着ヒータ２７の温度を判定するものである。すなわち、ステップＳ１０６ｂで、Ｎ＋１秒後の定着ヒータ２７の温度が温度予測テーブル８ａの値の範囲に入っている場合は、現状の定着制御を変更せず（ステップＳ１０６ｂ：Ｙｅｓ）、予測温度値の範囲外の場合（ステップＳ１０６ｂ：Ｎｏ）はＡＣ入力電圧誤検出と判断し、定着ヒータへの電力Ｄｕｔｙを大きく下げる制御に変更する（ステップＳ１０７）。その他の処理は実施例１と同一である。
【００３４】
本実施例では、ステップＳ１０６ｂで温度測定と検知結果について判断するので、実施例１よりも高い精度で入力電圧誤検出を行うことができる。
【実施例５】
【００３５】
図９は実施例５における加熱制御手順を示すフローチャートである。  
実施例５は実施例１のステップＳ１０７で定着ヒータへの電力Ｄｕｔｙを大きく下げる制御に変更した後、更に、一定時間定着ヒータの温度を検出し、高温異常スレッシュ温度に達しているかいないかを判定し（ステップＳ１０８）、達していなければ（ステップＳ１０８：Ｎｏ）、ステップＳ１０７で設定したＤｕｔｙで制御を続行し、達していれば、定着ヒータ２７への電力Ｄｕｔｙを０％に変更し、機械を停止する（ステップＳ１０７ｂ）。その他の処理は実施例１と同一である。
【００３６】
図１（ｂ）は、本実施形態における電力制御を行ったときの時間と温度との関係を示す特性図である。この特性図は前述の図１０（ａ）に示した従来技術とは異なり、定着ヒータ２７の温度が高温異常スレッシュ温度Ｔth以上にならないことが分かる。
【００３７】
すなわち、符号Ａで示す曲線の範囲は、ＡＣ１００Ｖ、Ｄｕｔｙ１００％における温度予測テーブル８ａの温度特性を示し、符号Ｃで示す曲線は実施例１の制御を実行したときの特性を示している。この温度特性から、温度予測テーブル８ａにおけるＮ秒後（図５では５秒後）の予測温度Ｎt1と、そのときの検知温度Ｎt2との比較から、ステップＳ１０６で温度範囲に入っていない場合には、ステップＳ１０７で定着ヒータへの電力Ｄｕｔｙを大きく下げた値に変更し、あるいは通電を停止すると、時間Ｎ経過後の温度上昇が抑えられ、定着ヒータ２７の温度が高温異常スレッシュ温度Ｔthを越えないようにできることが分かる。
【００３８】
本実施例では、入力電圧誤検出判定後も、ステップＳ１０８で一定時間定着ヒータの温度の検出し、その間高温異常スレッシュ温度まで達しないことを確認するので、実施例１よりも更に安全性の向上を図ることができる。
【００３９】
以上のように、本実施形態では特に条件の厳しい、電源ＯＮ時及びスリープモード復帰時のように定着ヒータ２７が冷えた状態においても、ＡＣ入力電圧誤検出時において高温異常を防止することができる。本実施形態では、ＡＣ入力電圧検知においてＡＣ１００Ｖと検知したが実際はＡＣ１２０Ｖが入力されていた場合、電源ＯＮ時及びスリープモード復帰時からは同様にＤｕｔｙ１００％で定着ヒータ２７を点灯するが、電源ＯＮ時やスリープモード復帰時からＮ秒後（例えば５秒後）の定着ヒータ２７の温度を測定し、画像形成装置１内に用意されている温度予測テーブル８ａから読み出したＡＣ１００Ｖ  Ｄｕｔｙ１００％におけるＮ秒後の予測温度値と比較して、予測温度値の範囲内に入っていれば現状の定着制御を変更せず、予測温度値の範囲外の場合はＡＣ入力電圧誤検出と判断し、定着Ｄｕｔｙを大きく下げる（例えばＤｕｔｙ４０％）制御に変更する。これにより、定着の立ち上げ時間（印刷可能になるまでの時間）は遅らせてしまうが、高温異常の発生を防止しつつ、サービスによる修理まで画像形成装置の使用が可能となる。なお、ＡＣ入力電圧誤検出自体は、恒久的には修理する必要があることは言うまでもない。
【００４０】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記各実施例は、好適な実施形態をそれぞれ示したものであるが、当業者ならば、本明細書に開示の内容から、各種の代替例、修正例、変形例あるいは改良例を実現することができ、これらは添付の特許請求の範囲により規定される範囲に含まれる。
【符号の説明】
【００４１】
１  画像形成装置
２  ＣＰＵ
８ａ  温度予測テーブル
１５  サーミスタ
２６  ＡＣ電圧検知回路
２７  定着ヒータ
【先行技術文献】
【特許文献】
【００４２】
【特許文献１】特開２００６−０３９０２７号公報
【図１】
2012185367.tif 000003
【図２】
2012185367.tif 000004
【図３】
2012185367.tif 000005
【図４】
2012185367.tif 000006
【図５】
2012185367.tif 000007
【図６】
2012185367.tif 000008
【図７】
2012185367.tif 000009
【図８】
2012185367.tif 000010
【図９】
2012185367.tif 000011